(57)【要約】【課題】  ネットワークに接続されたある機器から他の機器の共有情報を参照する場合に、ネットワークへの付加がなく高速に参照することができ、障害発生時も信頼性の高い情報を得ることができるデータ共有システム、方法、およびデータ共有サーバを提供する。【解決手段】  記憶部１ｂの共有情報記憶領域に、サーバ１〜３およびクライアント端末１〜３のそれぞれの機器に対応する専用の記憶領域１〜６を設定し、それぞれの機器が備える共有情報記憶領域１〜６に記憶された情報を所定時間毎に自身の機器以外のすべての機器に配信し、配信された情報を受信した機器は、それぞれの機器が備える共有情報記憶領域１〜６の対応する記憶領域に記憶され、ある機器が別の機器の情報を取得する際には、ある機器が備える共有情報記憶領域１〜６内の別の機器に対応した記憶領域の情報を参照して利用する。【選択図】    図１
2005258586.tif 000002
【特許請求の範囲】
【請求項１】
ネットワークに接続され、それぞれに共有情報記憶手段を備えた複数のサーバと、前記ネットワークに接続され、それぞれに前記共有情報記憶手段を備えた複数のクライアント端末とから構成されるデータ共有システムであって、
前記共有情報記憶手段に、前記複数のサーバおよび前記複数のクライアント端末のそれぞれの機器に対応する専用の記憶領域を設定する設定手段と、
前記複数のサーバおよび前記複数のクライアント端末のそれぞれの機器が、当該それぞれの機器が備える前記共有情報記憶手段に記憶された情報を所定時間毎に自身の機器以外のすべての前記複数のサーバおよび前記複数のクライアント端末に配信する配信手段と、
前記配信手段によって配信された情報を受信した前記機器は、受信した情報を、それぞれの機器が備える前記共有情報記憶手段の対応する記憶領域に記憶する記憶手段と、
所定の機器が別の機器の情報を取得する際には、前記所定の機器が備える前記共有情報記憶手段内の前記別の機器に対応した記憶領域の情報を参照して利用する利用手段と、
を具備することを特徴とするデータ共有システム。
【請求項２】
請求項１に記載のデータ共有システムにおいて、
前記共有情報記憶手段には、機器のエラー情報を記憶するエラー情報記憶領域がさらに設けられており、前記配信手段によって配信される情報に、配信を行う機器が記憶している他の機器のエラー情報を付加して配信を行い、前記エラー情報記憶領域に受信した情報を記憶することを特徴とするデータ共有システム。
【請求項３】
請求項１または２に記載のデータ共有システムにおいて、
前記サーバの前記共有情報記憶手段には、前記クライアント端末が備える表示手段が表示中かを示す情報を記憶する表示情報記憶領域がさらに設けられており、前記配信手段のうち、前記複数のクライアント端末から前記複数のサーバに配信する際に、配信を行うクライアント端末が記憶している自身の機器および他のクライアント端末の表示情報を付加して配信を行い、受信した前記複数のサーバの表示情報記憶領域に受信した情報を記憶することを特徴とするデータ共有システム。
【請求項４】
請求項１乃至３に記載のデータ共有システムにおいて、
前記複数のサーバのうちの所定のサーバは、前記表示情報記憶領域に記憶した表示情報に基づいて表示を行っていないクライアント端末を特定し、このクライアント端末に優先的に表示させることを特徴とするデータ共有システム。
【請求項５】
請求項１乃至４に記載のデータ共有システムにおいて、
前記複数のサーバのそれぞれの共有情報記憶手段には、情報を表示させるクライアント端末の優先順位情報がさらに記憶されており、前記表示情報に基づいて表示を行っていないクライアント端末を特定する場合、すべてのクライアント端末が表示中であると判別した場合は、前記優先順位情報に基づいて、クライアント端末の表示手段の表示中の情報と並行して表示させることを特徴とするデータ共有システム。
【請求項６】
請求項１または２に記載のデータ共有システムにおいて、
前記ネットワークは、複数の設定領域に分割されて設定されており、前記エラー情報に前記設定領域情報を付加して配信することを特徴とするデータ共有システム。
【請求項７】
ネットワークに接続され、それぞれに共有情報記憶手段を備えた複数のクライアント端末と、前記ネットワークに接続され、前記共有情報記憶手段を備えた複数のサーバとから構成されるデータ共有システムで用いられる前記複数のサーバのうちの１つであるデータ共有サーバであって、
前記共有情報記憶手段には、前記複数のサーバおよび前記複数のクライアント端末のそれぞれの機器に対応する専用の記憶領域が設定されており、
所定時間毎に、前記共有情報記憶手段に記憶された情報をすべての前記複数のサーバおよび前記複数のクライアント端末に配信する配信手段と、
前記複数のサーバおよび前記複数のクライアント端末のそれぞれが備える前記共有情報記憶手段に記憶された情報を受信して、当該サーバの前記共有情報記憶手段の対応する記憶領域に記憶する記憶手段と、
前記複数のサーバおよび前記複数のクライアント端末のうちの任意の機器の情報を取得する際には、当該サーバの前記共有情報記憶手段内の前記任意の機器に対応した記憶領域の情報を参照して利用する利用手段と、
を具備することを特徴とするデータ共有サーバ。
【請求項８】
請求項７に記載のデータ共有サーバにおいて、
前記共有情報記憶手段には、機器のエラー情報を記憶するエラー情報記憶領域がさらに設けられており、前記配信手段によって配信される情報に、配信を行う機器が記憶している他の機器のエラー情報を付加して配信を行うことを特徴とするデータ共有サーバ。
【請求項９】
請求項７または８に記載のデータ共有サーバにおいて、
当該サーバの前記共有情報記憶手段には、前記クライアント端末が備える表示手段が表示中かを示す情報を記憶する表示情報記憶領域がさらに設けられており、前記複数のクライアント端末が記憶している前記表示情報を受信し、前記表示情報記憶領域に受信した情報を記憶することを特徴とするデータ共有サーバ。
【請求項１０】
請求項７乃至９に記載のデータ共有サーバにおいて、
前記表示情報記憶領域に記憶した表示情報に基づいて表示を行っていないクライアント端末を特定し、このクライアント端末に優先的に表示させることを特徴とするデータ共有サーバ。
【請求項１１】
請求項７乃至１０に記載のデータ共有サーバにおいて、
当該サーバの共有情報記憶手段には、情報を表示させるクライアント端末の優先順位情報がさらに記憶されており、前記表示情報に基づいて表示を行っていないクライアント端末を特定する場合、すべてのクライアント端末が表示中であると判別した場合は、前記優先順位情報に基づいて、クライアント端末の表示手段の表示中の情報と並行して表示させることを特徴とするデータ共有サーバ。
【請求項１２】
請求項７または８に記載のデータ共有サーバにおいて、
前記ネットワークは、複数の設定領域に分割されて設定されており、前記エラー情報に前記設定領域情報を付加して配信することを特徴とするデータ共有サーバ。
【請求項１３】
ネットワークに接続され、それぞれに共有情報記憶手段を備えた複数のサーバと、前記ネットワークに接続され、それぞれに前記共有情報記憶手段を備えた複数のクライアント端末とから構成されるデータ共有システムで用いられるデータ共有方法であって、
前記共有情報記憶手段に、前記複数のサーバおよび前記複数のクライアント端末のそれぞれの機器に対応する専用の記憶領域を設定する設定ステップと、
前記複数のサーバおよび前記複数のクライアント端末のそれぞれの機器が、当該それぞれの機器が備える前記共有情報記憶手段に記憶された情報を所定時間毎に自身の機器以外のすべての前記複数のサーバおよび前記複数のクライアント端末に配信する配信ステップと、
前記配信ステップによって配信された情報を受信した前記機器は、受信した情報を、それぞれの機器が備える前記共有情報記憶手段の対応する記憶領域に記憶する記憶ステップと、
所定の機器が別の機器の情報を取得する際には、前記所定の機器が備える前記共有情報記憶手段内の前記別の機器に対応した記憶領域の情報を参照して利用する利用ステップと、
を含むことを特徴とするデータ共有方法。
【請求項１４】
請求項１３に記載のデータ共有方法において、
前記共有情報記憶手段には、機器のエラー情報を記憶するエラー情報記憶領域がさらに設けられており、前記配信手段によって配信される情報に、配信を行う機器が記憶している他の機器のエラー情報を付加して配信を行い、前記エラー情報記憶領域に受信した情報を記憶することを特徴とするデータ共有方法。
【請求項１５】
請求項１３または１４に記載のデータ共有方法において、
前記サーバの前記共有情報記憶手段には、前記クライアント端末が備える表示手段が表示中かを示す情報を記憶する表示情報記憶領域がさらに設けられており、前記配信ステップのうち、前記複数のクライアント端末から前記複数のサーバに配信する際に、配信を行うクライアント端末が記憶している自身の機器および他のクライアント端末の表示情報を付加して配信を行い、受信した前記複数のサーバの表示情報記憶領域に受信した情報を記憶することを特徴とするデータ共有方法。
【請求項１６】
請求項１３乃至１５に記載のデータ共有方法において、
前記複数のサーバのうちの所定のサーバは、前記表示情報記憶領域に記憶した表示情報に基づいて表示を行っていないクライアント端末を特定し、このクライアント端末に優先的に表示させることを特徴とするデータ共有方法。
【請求項１７】
請求項１３乃至１５に記載のデータ共有方法において、
前記複数のサーバのそれぞれの共有情報記憶手段には、情報を表示させるクライアント端末の優先順位情報がさらに記憶されており、前記表示情報に基づいて表示を行っていないクライアント端末を特定する場合、すべてのクライアント端末が表示中であると判別した場合は、前記優先順位情報に基づいて、クライアント端末の表示手段の表示中の情報と並行して表示させることを特徴とするデータ共有方法。
【請求項１８】
請求項１３または１４に記載のデータ共有方法において、
前記ネットワークは、複数の設定領域に分割されて設定されており、前記エラー情報に前記設定領域情報を付加して配信することを特徴とするデータ共有方法。
【発明の詳細な説明】
【技術分野】
【０００１】
本発明は、ネットワークに接続された複数台の機器でデータを共有する技術に係り、特に、ある機器が他の機器の共有データを参照する場合に、高速に共有データを参照することができるデータ共有システム、方法、およびデータ共有サーバに関するものである。
【背景技術】
【０００２】
従来の技術について、図１０を参照して説明する。従来のデータ共有システムでは、例えば、ＬＡＮ等のネットワーク１００に複数台のクライアント端末１〜３と、サーバ１、２、及び監視用サーバ０が接続され、構成されている。このとき、サーバ１のアプリケーションが、クライアント端末２に記憶されているデータ（クライアント端末２の自装置内のデータ）を参照する場合、サーバ１のアプリケーションは、ネットワーク１００を介して、クライアント端末２の自装置内のデータにアクセスしてデータの参照を行う。また、監視用サーバ１０は、ネットワーク１００に障害がないか等の監視を行っており、例えば、クライアント端末２からの応答がないと、ネットワーク１００の箇所１０１を障害箇所として検出する。
【発明の開示】
【発明が解決しようとする課題】
【０００３】
しかし、このような構成であると、サーバ１のアプリケーションが、クライアント端末２に記憶されているデータを参照する場合、サーバ１のアプリケーションは、ネットワーク１００を介して、クライアント端末２の自装置内のデータにアクセスしてデータの参照を行う必要があり、データの参照の度に、ネットワーク１００へのアクセスが発生してしまう。また、ネットワーク１００を介してアクセスを行うことにより、データの参照までに相当の時間か係ってしまう。さらに、監視用サーバ０から行ったクライアント端末２へのアクセスで、クライアント端末２からの応答がない場合は、箇所１０１での障害が発生している可能性があるが、一時的にアクセスできなくなっている可能性もある。このような場合でも、監視用サーバ０のみしか障害の情報を保持しておらず、信頼性に欠ける場合がある。
【０００４】
本発明の目的は、ネットワークに接続されたある機器から他の機器の共有情報を参照する場合に、ネットワークへの付加がなく高速に参照することができ、障害発生時も信頼性の高い情報を得ることができるデータ共有システム、方法、およびデータ共有サーバを提供することである。
【課題を解決するための手段】
【０００５】
本発明はかかる課題を解決するものであり、本発明は、ネットワークに接続され、それぞれに共有情報記憶手段を備えた複数のサーバと、前記ネットワークに接続され、それぞれに前記共有情報記憶手段を備えた複数のクライアント端末とから構成されるデータ共有システムであって、前記共有情報記憶手段に、前記複数のサーバおよび前記複数のクライアント端末のそれぞれの機器に対応する専用の記憶領域を設定する設定手段と、前記複数のサーバおよび前記複数のクライアント端末のそれぞれの機器が、当該それぞれの機器が備える前記共有情報記憶手段に記憶された情報を所定時間毎に自身の機器以外のすべての前記複数のサーバおよび前記複数のクライアント端末に配信する配信手段と、前記配信手段によって配信された情報を受信した前記機器は、受信した情報を、それぞれの機器が備える前記共有情報記憶手段の対応する記憶領域に記憶する記憶手段と、所定の機器が別の機器の情報を取得する際には、前記所定の機器が備える前記共有情報記憶手段内の前記別の機器に対応した記憶領域の情報を参照して利用する利用手段とを具備することを特徴とするデータ共有システムである。
【０００６】
したがって本発明は、共有情報記憶手段に、複数のサーバおよび複数のクライアント端末のそれぞれの機器に対応する専用の記憶領域が設定され、それぞれの機器が備える共有情報記憶手段に記憶された情報が所定時間毎に自身の機器以外のすべての複数のサーバおよび複数のクライアント端末に配信される。配信された情報を受信した機器は、受信した情報は、それぞれの機器が備える共有情報記憶手段の対応する記憶領域に記憶され、所定の機器が別の機器の情報を取得する際には、所定の機器が備える共有情報記憶手段内の別の機器に対応した記憶領域の情報が参照されて利用される。このため、ネットワークに接続されたある機器から他の機器の共有情報を参照する場合に、ネットワークへの付加がなく高速に参照することができ、障害発生時も信頼性の高い情報を得ることができる。
【０００７】
また、本発明は、共有情報記憶手段に、機器のエラー情報を記憶するエラー情報記憶領域がさらに設けられており、配信手段によって配信される情報に、配信を行う機器が記憶している他の機器のエラー情報を付加して配信を行い、エラー情報記憶領域に受信した情報を記憶することを特徴とする。このため、各機器が記憶しているエラー情報を共有して利用することができ、エラー情報の信頼性も向上する。
【０００８】
また、本発明は、サーバの共有情報記憶手段に、クライアント端末が備える表示手段が表示中かを示す情報を記憶する表示情報記憶領域がさらに設けられており、配信手段のうち、複数のクライアント端末から複数のサーバに配信する際に、配信を行うクライアント端末が記憶している自身の機器および他のクライアント端末の表示情報を付加して配信を行い、受信した複数のサーバの表示情報記憶領域に受信した情報が記憶される。また、本発明は、複数のサーバのうちの所定のサーバは、表示情報記憶領域に記憶した表示情報に基づいて表示を行っていないクライアント端末を特定し、このクライアント端末に優先的に表示させることを特徴とする。このため、表示させる表示手段を迅速に選択することができる。
【０００９】
また、本発明は、複数のサーバのそれぞれの共有情報記憶手段には、情報を表示させるクライアント端末の優先順位情報がさらに記憶されており、表示情報に基づいて表示を行っていないクライアント端末を特定する場合、すべてのクライアント端末が表示中であると判別した場合は、優先順位情報に基づいて、クライアント端末の表示手段の表示中の情報と並行して表示させることを特徴とする。このため、すべてのクライアント端末が表示中である場合に、優先順位情報に基づいて、クライアント端末の表示手段の表示中の情報と並行して表示させることができる。
【００１０】
また、本発明は、ネットワークが複数の設定領域に分割されて設定されており、エラー情報に設定領域情報を付加して配信することを特徴とする。このため、ネットワークのどこでエラーが発生したかの特定を容易にすることができる。
【発明の効果】
【００１１】
本発明によれば、ネットワークに接続されたある機器から他の機器の共有情報を参照する場合に、ネットワークへの付加がなく高速に参照することができ、障害発生時も信頼性の高い情報を得ることができる。
【発明を実施するための最良の形態】
【００１２】
本発明は、ネットワークに接続された複数の機器の共有情報を、それぞれの機器が定期的に他の機器に配信して記憶することにより、複数の機器のうちのある機器が他の機器の共有情報を必要になった場合に、自機に保存されている他の機器の共有情報を利用することにより、他の機器の共有情報を高速に参照することができるものである。
【００１３】
図１は、本発明の一実施形態に係るデータ共有システムを示す構成ブロック図である。
【００１４】
データ共有システムは、当該システム全体を管理、コントロールし、常時、人員がモニター等の表示装置を監視している複数のクライアント端末（ここでは、クライアント端末１〜３）、システム全体の基準の時刻情報を提供する標準時計５、複数のクライアント端末１〜３が接続されているＬＡＮ等のネットワークであるＡ系システムＬＡＮ６及びＢ系システムＬＡＮ７、これらのＡ系システムＬＡＮ６及びＢ系システムＬＡＮ７に接続されている複数のサーバ装置であるサーバ１〜３、Ａ系システムＬＡＮ６及びＢ系システムＬＡＮ７に接続されている中継基地であるＴＣＭ  １Ａ系２０、ＴＣＭ  １Ｂ系２１、当該システムの管理対象である、例えば、変電所設備ＳＳ１〜ＳＳ４とから構成されている。なお、さらに、ネットワークに接続された機器の各種シュミレーション等の処理を行うシュミレータサーバを接続してもよい。
【００１５】
複数のサーバ装置は、同じ構成であるので、そのうち、サーバ１の構成について説明する。図２は、本発明に係るデータ共有サーバであるサーバ１の構成を示したブロック図である。サーバ１は、制御部１０ａ、記憶部１０ｂ、および表示部１０ｃから構成されている。制御部１０ａは、各クライアント端末やサーバに情報を配信するための情報配信部１１ａおよび各クライアント端末やサーバにから情報を受信する情報受信部１１ｂを備えている。記憶部１０ｂは、サーバ上で動作する各種アプリケーションや共有情報等を記憶する共有情報記憶領域１１ｃを有している。
【００１６】
次に図３は、共有情報記憶領域１１ｃの構成を示した模式図である。例えば、本発明の実施形態では、サーバ装置が３つ、クライアント端末が３つの計６つの機器がネットワークに接続されたシステムであるので、６つの機器に対応した共有情報記憶領域１−６、および共有情報を格納する配信専用の記憶領域である記憶領域０から構成される。共有情報記憶領域１−６は、それぞれサーバ１、サーバ２、サーバ０、クライアント端末１、クライアント端末２、クライアント端末３の装置アドレスを１−６とし、対応して割り当てられている。なお、配信情報としては、他の機器と共有する情報等である。
【００１７】
次に、本発明の一実施形態に係るデータ共有方法を適用したデータ共有システムの処理について説明する。図４は、本発明の一実施形態に係るデータ共有サーバを適用したデータ共有システムの共有情報記憶領域を示す構成図であり、図５は、本発明の一実施形態に係るデータ共有方法を適用したデータ共有システムの処理を示すシーケンス図である。
【００１８】
本発明の実施形態では、例えば、サーバ１が定期的な共有情報の配信を行う実施形態について説明する。サーバ１の制御部１０ａが備える情報配信部１１ａは、ステップＳ１で、記憶部１０ｂの共有情報記憶領域１１ｃの記憶領域０に記憶されている配信情報を他の機器であるサーバ２、３、クライアント端末１〜３にネットワークを介して配信する。
【００１９】
配信情報を受信した各機器であるサーバ２、３、クライアント端末１〜３は、ステップＳ２で、自身の記憶部の共有情報記憶領域のうち、サーバ１から受信した情報を記憶する専用の領域である記憶領域１に記憶する。なお、上述したステップＳ２は、ネットワークを介して配信されるので、それぞれの機器への配信順序はその時々によって異なっており、例えば、装置アドレスの番号順等であるとは限らない。また、例えば、サーバ２が定期的な共有情報の配信を行う場合には、サーバ２の記憶領域０に記憶された共有情報が配信され、受信したそれぞれの機器は、記憶部のサーバ２から受信した情報の専用の記憶領域である記憶領域２に記憶する。
【００２０】
このように、ネットワークに接続され、装置アドレスが付されたすべての機器が定期的に自身の記憶領域０の共有情報を配信して記憶することにより、すべての機器が共有情報を互いに記憶することになり、任意の機器の共有情報を参照する場合には、ネットワークを介して任意の機器にアクセスすることなく、自身の記憶領域に記憶された共有情報を利用することにより、高速に共有情報を参照することができる。
【００２１】
次に、本発明の別の実施形態に係るデータ共有サーバを適用したデータ共有システムについて説明する。当該実施形態では、それぞれの機器が記憶しているエラー情報を、共有情報記憶領域内の記憶領域０に記憶して配信するものである。
【００２２】
図６は、共有情報記憶領域内の記憶領域０の構成について示した模式図である。記憶領域０には、複数のデータを格納することができる。例えば、記憶領域０には、データ１〜データｎが格納されているものとする。なお、記憶領域０から共有情報が定期的に配信される場合には、データ１〜データｎごとに配信する間隔を設定できる。
【００２３】
次に、例えば、サーバ１（装置アドレス１）の記憶領域０に格納されているデータ１〜データｎの中の１つのデータであるデータ２に、例えば、サーバ１が行った各機器へのハローコールの結果データを格納する。例えば、図６に示したマトリクス状のデータであり、装置アドレス１であるサーバ１からのハローコールに応答がなかった装置アドレスは４（クライアント端末１）であることがわかる。また、例えば、サーバ３（装置アドレス３）から行ったハローコールの結果データを図７に示した。図７でも同様に、装置アドレス３であるサーバ３からのハローコールに応答がなかった装置アドレスは４（クライアント端末１）であることがわかる。これらの各機器が行ったハローコールの結果データが記憶領域０から他の機器に配信されることで、受信した各機器は、それぞれ図８に示すようなデータを得ることができる。このデータを参照することにより、各機器は、装置アドレス４であるクライアント端末１がエラーを起こしていることを把握できる。これにより、例えば、図１の箇所αかもしくは、クライアント端末４自身のエラーであることが予想できる。
【００２４】
また、図９に示すようなデータが得られた場合は、装置アドレス２であるサーバ２のみが装置アドレス４の機器のエラーを受信しており、他の機器は、エラーを受信していないことがわかる。これにより、単なる一過性のエラーである、等の判断を行うことができる。もし、装置アドレス２（サーバ２）が、従来の技術の監視サーバであった場合は、監視サーバが受信したエラーの情報しかないため、他の機器はこの情報に基づいて、「装置アドレス４（クライアント端末１）がエラーを起こしている」と判断することになり、信頼性に問題がある場合があるが、本発明の実施形態では、この点が解消されている。
【００２５】
次に、本発明のさらに別の実施形態に係るデータ共有サーバを適用したデータ共有システムについて説明する。当該実施形態では、それぞれの機器が記憶している表示情報を、共有情報記憶領域内の記憶領域０に記憶して配信するものである。なお、表示情報とは、機器がディスプレイ等の表示装置に表示を行っているか否かの情報を含むものである。また、表示情報は主としてクライアント端末の表示情報をサーバ側で把握し、サーバ側からクライアント端末に通知したい緊急の情報等を表示する場合に参照して、表示装置が使用されていないクライアント端末に優先的に緊急の情報等を表示させることを目的としている。
【００２６】
次に、例えば、クライアント端末１（装置アドレス４）の記憶領域０に格納されているデータ１〜データｎの中の１つのデータであるデータ１に、例えば、自身の表示装置に表示を行っているか否かの表示情報を格納する。この表示情報を含んだ共有情報を受信した各サーバ１〜３は、例えば、図７に示すように、クライアント端末１〜３の表示情報を把握することができ、受信した表示情報に基づいて、空いている表示装置である、クライアント端末３の表示装置に優先的に緊急情報等を表示させる。さらに、表示情報の他に、優先順位情報を記憶領域０に格納して配信することもできる。この優先順位情報とは、上述したクライアント端末１〜３の表示装置が、図８に示すように、すべて使用中の場合等に利用するものであり、この場合は、優先順位情報により、優先順位の一番高いクライアント端末１の表示装置の表示中の情報の一部に重ねて表示させることにより、緊急情報等の通知したい情報があることをクライアント端末に知らせることができる。
【００２７】
次に、例えば、各機器の記憶領域０に格納されているデータ１〜データｎの中の１つのデータであるデータ３に、前述した各機器へのハローコールの結果データを格納する場合に、本発明の実施形態で用いているネットワークである、Ａ系システムＬＡＮ６と、Ｂ系システムＬＡＮ７とのそれぞれの情報を格納する。この共有情報を受信した各サーバ１〜３は、例えば、図１２に示すようなデータを得ることができ、これにより、Ａ系システムＬＡＮ６は全域に渡って正常であり、Ｂ系システムＬＡＮ７は、装置アドレス４の装置がエラーを起こしていることがわかる。また、図１３に示すようなデータであった場合は、Ａ系システムＬＡＮ６は全域に渡って正常であり、Ｂ系システムＬＡＮ７は、全域がエラーで途絶されていることがわかる。
【００２８】
なお、本実施形態で説明したデータ共有システム、方法、およびデータ共有サーバは、計算機（コンピュータ）に実行させることができるプログラム（ソフトウエア手段）として、例えば磁気ディスク（フロッピーディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含むものである。本装置を実現する計算機は、記録媒体に記録されたプログラムを読み込み、また場合により設定プログラムによりソフトウエア手段を構築し、このソフトウエア手段によって動作が制御されることにより上述した処理を実行する。
【図面の簡単な説明】
【００２９】
【図１】本発明の一実施形態に係るデータ共有システムを示す構成ブロック図である。
【図２】本発明に係るデータ共有サーバであるサーバ１の構成を示したブロック図である。
【図３】共有情報記憶領域の構成を示した模式図である。
【図４】本発明の一実施形態に係るデータ共有サーバを適用したデータ共有システムの共有情報記憶領域を示す構成図である。
【図５】本発明の一実施形態に係るデータ共有方法を適用したデータ共有システムの処理を示すシーケンス図である。
【図６】共有情報記憶領域内の記憶領域０の構成について示した模式図である。
【図７】装置アドレス３が受信したハローコールの結果データを示す模式図である。
【図８】各機器が受信したハローコールの結果データを集計したデータを示す模式図である。
【図９】各機器が受信したハローコールの結果データを集計したデータを示す模式図である。
【図１０】表示情報を受信したサーバ側の各クライアント端末の表示装置空き状況を示す模式図である。
【図１１】表示情報を受信したサーバ側の各クライアント端末の表示装置空き状況を示す模式図である。
【図１２】各機器が受信したハローコールの結果データを集計したデータを示す模式図である。
【図１３】各機器が受信したハローコールの結果データを集計したデータを示す模式図である。
【図１４】従来の技術に係るデータ共有システムの構成を示したブロック図である。
【符号の説明】
【００３０】
１ａ、１０ａ・・・制御部、１ｂ、１０ｂ・・・記憶部、１ｃ、１０ｃ・・・表示部、５・・・標準時計、２０・・・ＴＣＭ１Ａ系、２１・・・ＴＣＭ１Ｂ系
【図１】
2005258586.tif 000003
【図２】
2005258586.tif 000004
【図３】
2005258586.tif 000005
【図４】
2005258586.tif 000006
【図５】
2005258586.tif 000007
【図６】
2005258586.tif 000008
【図７】
2005258586.tif 000009
【図８】
2005258586.tif 000010
【図９】
2005258586.tif 000011
【図１０】
2005258586.tif 000012
【図１１】
2005258586.tif 000013
【図１２】
2005258586.tif 000014
【図１３】
2005258586.tif 000015
【図１４】
2005258586.tif 000016